(57)【要約】【課題】ジャックがジャック孔に挿入されていない状態においてキャビネットの内部への大きな異物の混入や人間の指などの挿入を抑制することが可能な電子機器のジャック孔構造を提供する。【解決手段】ジャック１５２を、キャビネット１の外側に露出させるための円状のジャック孔１１を有する電子機器のジャック孔構造において、ジャック孔１１は、ジャック孔１１の内周部分の全周に渡って設けられる複数の突出片１２を備え、突出片１２は、キャビネット１の内側から外側へ突出するように形成され、丸形形状の先端部１２ａを有する。また、突出片１２の先端部１２ａによって形成される最小孔部１３は、ジャック１５２がジャック孔１１に挿入されていない場合、ジャック１５２の外径よりも最小孔部１３の孔径が小さくなる。また、ジャック１５２をジャック孔１１に挿入した場合、ジャック１５２の外径に沿って最小孔部１３が広げられる。【選択図】図３
2005317308.tif 000002
【特許請求の範囲】
【請求項１】
電子機器の樹脂製のキャビネット内に配置されたプリント基板に取り付けられたジャックを、前記キャビネットの外側に露出させるための円状のジャック孔を有する電子機器のジャック孔構造において、
前記円状のジャック孔は、前記円状のジャック孔の内周部分の全周に渡って、所定の間隔を隔てずに連続して並ぶように設けられる複数の突出片を備え、
各々の前記突出片は、前記円状のジャック孔の中心部に向かって徐々に細くなる先細り形状を有するとともに、前記円状のジャック孔が設けられた前記キャビネットの面に対して、前記円状のジャック孔の中心部に向かって鋭角で傾斜し、かつ、前記キャビネットの内側から外側へ突出するように形成され、前記キャビネットの厚みよりも小さい厚みを有し、
前記突出片の先端部は、丸形形状を有し、
前記突出片の先端部分によって形成される最小孔部は、前記ジャックが前記ジャック孔に挿入されていない場合には、前記ジャックの外径よりも前記最小孔部の孔径が小さくなるとともに、前記ジャックを前記ジャック孔に挿入した場合には、前記ジャックの外径に沿って前記最小孔部が広げられることにより前記ジャックの外径と実質的に同じ孔径になるように構成されている、電子機器のジャック孔構造。
【請求項２】
電子機器のキャビネットに設けられるとともに、ジャックを前記キャビネットの内側から外側に露出させるためのジャック孔を有する電子機器のジャック孔構造であって、
前記ジャック孔は、前記ジャック孔の内側部分の全周に渡って、所定の間隔を隔てずに連続して並ぶように設けられる複数の突出片を備え、
各々の前記突出片は、前記ジャック孔が設けられた前記キャビネットの面に対して、前記ジャック孔の中心部に向かって鋭角で傾斜し、かつ、前記キャビネットの内側から外側へ突出するように形成され、
前記突出片の先端部分によって形成される最小孔部は、前記ジャックが前記ジャック孔に挿入されていない場合には、前記ジャックの外径よりも前記最小孔部の孔径が小さくなるとともに、前記ジャックを前記ジャック孔に挿入した場合には、前記ジャックの外径に沿って前記最小孔部の孔径が大きくなるように構成されている、電子機器のジャック孔構造。
【請求項３】
前記突出片は、前記ジャック孔の中心部に向かって細くなる先細り形状を有する、請求項２に記載の電子機器のジャック孔構造。
【請求項４】
前記突出片の先端部は、丸形形状を有している、請求項２または３に記載の電子機器のジャック孔構造。
【請求項５】
前記キャビネットは、樹脂材料により形成されている、請求項２〜４のいずれか１項に記載の電子機器のジャック孔構造。
【請求項６】
前記突出片は、前記キャビネットの厚みよりも小さい厚みを有している、請求項２〜５のいずれか１項に記載の電子機器のジャック孔構造。
【発明の詳細な説明】
【技術分野】
【０００１】
本発明は、電子機器のジャック孔構造に関し、特に、ジャックをキャビネットの内側から外側に露出させるためのジャック孔を有する電子機器のジャック孔構造に関する。
【背景技術】
【０００２】
従来、テレビジョンなどの電子機器においては、外部機器と接続するための接続コードを連結するためのジャックやコネクタが設けられている（たとえば、特許文献１〜特許文献４参照）。
【０００３】
上記特許文献１には、外装ケースにコネクタを挿入するための孔を設け、この孔の内周面を、コネクタの外周面に対して密着して嵌合するように形成するとともに、この孔の周りに環状の突出部を設けることによって、孔の内周面を厚肉に形成した従来の電子機器のコネクタ差込口構造が開示されている。
【０００４】
また、上記特許文献２には、複数のジャックを取り付けた取付部と、プリント基板が取り付けられた一方のケースと、取付部を挟み込むための箱状のリブを有する他方のケースとを備えた従来の電子機器のジャックの取り付け構造が開示されている。この特許文献２に開示された構造では、一方のケースのプリント基板に取付部を取り付けるとともに、他方のケースで取付部を挟み込むことによって、２つのケースの間にジャックを固定している。
【０００５】
また、上記特許文献３には、取付枠板に回転ストッパと、９０°間隔で４つの切り起し突片とを形成したジャックを挿入するための孔を設けた従来のジャックの取り付け構造が開示されている。この特許文献３に開示された構造では、ジャックを、切り起し突片が突出した側と反対側から孔に挿入するとともに、切り起し突片をジャックの外周面に対してかしめることによって、ジャックを取付枠板に固定する。
【０００６】
また、上記特許文献４には、金属ケースに設けた電子部品類の取付孔をバーリング加工によって一方の面側へ突出する筒状に形成し、この取付孔に電子部品類の挿入部径に対して圧入寸法となる接触片を所定の間隔で２つまたは３つ設けた従来の電子部品の仮固定構造が開示されている。この特許文献４に開示された構造では、電子部品類を、接触片が突出した側と反対側から取付孔に挿入し、接触片により電子部品類を金属ケースに固定している。
【０００７】
図８は、従来の他の例によるジャック孔構造を有するキャビネットを備えるテレビジョンを示した正面図である。図９は、図８に示したテレビジョンの４００−４００線に沿った側断面図である。図１０は、図９に示した従来のジャック孔構造を有するキャビネットの部分側断面図である。図１１は、図１０に示したキャビネットのジャック孔に、ジャックを挿入した状態を示した側断面図である。図１２は、図１０に示したキャビネットのジャック孔に、ジャックを挿入した状態を示した正面図である。まず、図８〜図１２を参照して、従来の他の例による電子機器のジャック孔構造について説明する。
【０００８】
この従来の他の例によるジャック孔構造を有する電子機器には、たとえば、図８に示すようなテレビジョン３００がある。このテレビジョン３００は、図９に示すように、キャビネット１００と、キャビネット１００の内部に配置されるプリント基板１５０とを備えている。キャビネット１００は、樹脂材料のＶ−０材を用いて形成されている。Ｖ−０は、ＵＬ９４規格で定められた難燃性クラスの１つを示す。ＵＬ規格とは、電気製品の安全
性を象徴するものとしてアメリカで適用された規格であり、主に電気製品に起因する感電と火災の危険を防止する事を目的とした安全規格として位置づけられている。このうち、ＵＬ９４規格では、５ＶＡ、５ＶＢ、Ｖ−０、Ｖ−１、Ｖ−２、ＨＢなどの難燃性クラスが設けられており、高耐熱燃焼性の５ＶＡから５ＶＢ、Ｖ−０、Ｖ−１、Ｖ−２、ＨＢの順に耐熱燃焼性が低くなっている。
【０００９】
また、プリント基板１５０には、ホルダ１５１を介してジャック１５２が取り付けられている。ジャック１５２は、ビデオカメラやテレビゲームなどの外部機器（図示せず）と接続するための接続コードのコネクタを接続するために設けられている。また、ジャック１５２は、樹脂材料のＨＢ材を用いて形成されている。また、テレビジョン３００のキャビネット１００の正面側には、図８に示すように、ビデオ端子部１１０が設けられている。ビデオ端子部１１０には、図１０〜図１２に示すように、円状のジャック孔１１１が設けられている。このジャック孔１１１を介して、ジャック１５２がキャビネット１００の内側から外側に突出するように配置される。
【特許文献１】実開平７−７１８０号公報
【特許文献２】実開平６−６８１８７号公報
【特許文献３】実開昭６２−５８０９１号公報
【特許文献４】実開昭６３−１５７９２３号公報
【発明の開示】
【発明が解決しようとする課題】
【００１０】
上記したように、図１１に示した従来の他の例によるジャック孔構造では、キャビネット１００は、耐熱燃焼性が高いＶ−０材を使用し、ジャック１５２は、耐熱燃焼性が低いＨＢ材を使用していた。このため、テレビジョン３００を熱源に近い場所に設置した場合には、テレビジョン３００のキャビネット１００は、熱による変形が生じない一方、ＨＢ材を用いて形成されたジャック１５２は、熱によって溶解する場合があるという不都合があった。また、従来の他の例では、ジャック１５２の外径は、人間の指と同等の外径を有しているため、ジャック孔１１１は、人間の指の外径よりも大きい内径を有している。このため、ジャック１５２が熱による溶解のため消失した場合には、キャビネット１００のジャック孔１１１からキャビネット１００の内部へ指を容易に深く挿入することができるという不都合があった。そして、指をジャック孔１１１からキャビネット１００の内部へ誤って深く挿入した際には、図１３に示すように、キャビネット１００の内部のプリント基板１５０の電気的導通部分に指が接触するという問題点がある。
【００１１】
また、ジャック１５２が熱によって溶解した場合、人の指ほどの大きさの異物でもキャビネット１００のジャック孔１１１からキャビネット１００の内部に容易に混入するので、テレビジョン３００の故障率が増加するという問題点もある。
【００１２】
また、上記特許文献１〜特許文献４に開示された孔は、ジャックやコネクタの取り付け後はいずれも、ジャックやコネクタの外径と同じ内径を有するため、ジャックやコネクタが熱による溶解により消失した場合には、その孔から人間の指が挿入可能であるとともに、人間の指ぐらいの大きな異物が混入される可能性があるという、図１３に示した従来の他の例と同様の問題点がある。
【００１３】
この発明は、上記のような課題を解決するためになされたものであり、ジャックがジャック孔に挿入されていない状態において電子機器のキャビネットの内部への大きな異物の混入や人間の指などの挿入を抑制することが可能な電子機器のジャック孔構造を提供することを目的とする。  
【課題を解決するための手段および発明の効果】
【００１４】
上記目的を達成するために、この発明の第１の局面における電子機器のジャック孔構造では、電子機器の樹脂製のキャビネット内に配置されたプリント基板に取り付けられたジャックを、キャビネットの外側に露出させるための円状のジャック孔を有する電子機器のジャック孔構造において、円状のジャック孔は、円状のジャック孔の内周部分の全周に渡って、所定の間隔を隔てずに連続して並ぶように設けられる複数の突出片を備え、各々の突出片は、円状のジャック孔の中心部に向かって徐々に細くなる先細り形状を有するとともに、円状のジャック孔が設けられたキャビネットの面に対して、円状のジャック孔の中心部に向かって鋭角で傾斜し、かつ、キャビネットの内側から外側へ突出するように形成され、キャビネットの厚みよりも小さい厚みを有し、突出片の先端部は、丸形形状を有し、突出片の先端部分によって形成される最小孔部は、ジャックがジャック孔に挿入されていない場合には、ジャックの外径よりも最小孔部の孔径が小さくなるとともに、ジャックをジャック孔に挿入した場合には、ジャックの外径に沿って最小孔部が広げられることによりジャックの外径と実質的に同じ孔径になるように構成されている。
【００１５】
この発明の第１の局面による電子機器のジャック孔構造では、上記のように、円状のジャック孔の内周部分の全周に渡って、所定の間隔を隔てずに連続して並ぶように設けられる複数の突出片を設けることによって、ジャックをジャック孔に挿入した場合に、ジャックとジャック孔との間に生じる隙間を小さくすることができる。これにより、突出片を設けない場合と比較して、ジャックとジャック孔との間の隙間から電子機器のキャビネットの内部へ異物が混入するのを抑制することができる。その結果、電子機器のキャビネットの内部へ異物が混入することによる電子機器の作動不良の発生を抑制することができる。また、突出片の先端部分によって形成される最小孔部を、ジャックがジャック孔に挿入されていない場合には、ジャックの外径よりも最小孔部の孔径が小さくなるように構成することによって、ジャックがジャック孔に挿入されていない場合には、突出片の先端部分によって形成される最小孔部の孔径をより小さくすることができる。これにより、突出片がない場合と比較して、電子機器のキャビネットの内部への大きな異物の混入をより抑制することができる。
【００１６】
また、突出片の先端部分によって形成される最小孔部を、ジャックがジャック孔に挿入されていない場合に、ジャックの外径よりも最小孔部の孔径が小さくなるように構成することによって、人の指がジャック孔からキャビネットの内側へ誤って挿入されるのを防止することができる。これにより、ジャックがジャック孔に挿入されていない場合に、人が指をジャック孔からキャビネットの内側へ誤って挿入して、電子機器のキャビネット内部に設けられた電気的導通部分に触れるのを防止することができる。また、突出片を、ジャック孔が設けられたキャビネットの面に対して、ジャック孔の中心部に向かって鋭角で傾斜し、かつ、キャビネットの内側から外側へ突出するように形成することによって、ジャックをキャビネットの内側から外側へ通す場合に、ジャックが突出片に引っ掛かることなく、容易にジャックをジャック孔に通すことができる。これにより、ジャックを電子機器のキャビネットに組み付ける際の組立作業性を向上させることができる。また、キャビネットの外側から内側へ異物が混入しようとした場合には、異物を突出片に引っ掛かりやすくさせることができる。これによっても、ジャック孔から電子機器のキャビネットの内部へ異物が容易に混入しないようにすることができる。
【００１７】
また、第１の局面では、突出片を、ジャック孔の中心部に向かって細くなる先細り形状を有するように形成することによって、ジャックをキャビネットの内側から外側へ通す場合に、突出片が撓みやすくなるので、ジャックを突出片により引っ掛かりにくくさせることができる。これにより、ジャックを電子機器のキャビネットの内側から外側に向かって組み付ける際の組立作業性を向上させることができる。
【００１８】
また、第１の局面では、突出片を、丸形形状の先端部を有するように形成することによ
って、ジャックがジャック孔に挿入されていない場合に、人の指がジャック孔に誤って挿入されることによって突出片の先端部により指が傷つけられるのを防止することができる。
【００１９】
また、第１の局面では、キャビネットを、樹脂材料により形成することによって、突出片をジャック孔と一体的に形成することができる。これにより、突出片をキャビネットと別部材により形成する場合と比較して、部品点数を削減することができる。
【００２０】
また、第１の局面では、突出片を、キャビネットの厚みよりも小さい厚みを有するように構成することによって、ジャックをキャビネットの内側から外側へ通す場合に、突出片が撓みやすくなるので、ジャックが突出片を容易に押し広げることができる。これにより、ジャックを電子機器のキャビネットに組み付ける際の組立作業性を向上させることができる。
【００２１】
この発明の第２の局面における電子機器のジャック孔構造では、電子機器のキャビネットに設けられるとともに、ジャックをキャビネットの内側から外側に露出させるためのジャック孔を有する電子機器のジャック孔構造であって、ジャック孔は、ジャック孔の内側部分の全周に渡って、所定の間隔を隔てずに連続して並ぶように設けられる複数の突出片を備え、各々の突出片は、ジャック孔が設けられたキャビネットの面に対して、ジャック孔の中心部に向かって鋭角で傾斜し、かつ、キャビネットの内側から外側へ突出するように形成され、突出片の先端部分によって形成される最小孔部は、ジャックがジャック孔に挿入されていない場合には、ジャックの外径よりも最小孔部の孔径が小さくなるとともに、ジャックをジャック孔に挿入した場合には、ジャックの外径に沿って最小孔部の孔径が大きくなるように構成されている。
【００２２】
この発明の第２の局面による電子機器のジャック孔構造では、上記のように、ジャック孔の内周部分の全周に渡って、所定の間隔を隔てずに連続して並ぶように設けられる複数の突出片を設けることによって、ジャックをジャック孔に挿入した場合に、ジャックとジャック孔との間に生じる隙間を小さくすることができる。これにより、突出片を設けない場合と比較して、ジャックとジャック孔との間の隙間から電子機器のキャビネットの内部へ異物が混入するのを抑制することができる。その結果、電子機器のキャビネットの内部へ異物が混入することによる電子機器の作動不良の発生を抑制することができる。また、突出片の先端部分によって形成される最小孔部を、ジャックがジャック孔に挿入されていない場合には、ジャックの外径よりも最小孔部の孔径が小さくなるように構成することによって、ジャックがジャック孔に挿入されていない場合には、突出片の先端部分によって形成される最小孔部の孔径をより小さくすることができる。これにより、突出片がない場合と比較して、電子機器のキャビネットの内部への大きな異物の混入をより抑制することができる。
【００２３】
また、突出片の先端部分によって形成される最小孔部を、ジャックがジャック孔に挿入されていない場合に、ジャックの外径よりも最小孔部の孔径が小さくなるように構成することによって、人の指がジャック孔からキャビネットの内側へ誤って挿入されるのを防止することができる。これにより、ジャックがジャック孔に挿入されていない場合に、人が指をジャック孔からキャビネットの内側へ誤って挿入して、電子機器のキャビネット内部に設けられた電気的導通部分に触れるのを防止することができる。また、突出片を、ジャック孔が設けられたキャビネットの面に対して、ジャック孔の中心部に向かって鋭角で傾斜し、かつ、キャビネットの内側から外側へ突出するように形成することによって、ジャックをキャビネットの内側から外側へ通す場合に、ジャックが突出片に引っ掛かることなく、容易にジャックをジャック孔に通すことができる。これにより、ジャックを電子機器のキャビネットに組み付ける際の組立作業性を向上させることができる。また、キャビネ
ットの外側から内側へ異物が混入しようとした場合には、異物を突出片に引っ掛かりやすくさせることができる。これによっても、ジャック孔から電子機器のキャビネットの内部へ異物が容易に混入しないようにすることができる。
【００２４】
上記第２の局面による電子機器のジャック孔構造において、好ましくは、突出片は、ジャック孔の中心部に向かって細くなる先細り形状を有するように形成されている。このように構成すれば、ジャックをキャビネットの内側から外側へ通す場合に、接触片部が撓みやすくなるので、ジャックを接触片部により引っ掛かりにくくさせることができる。これにより、ジャックを電子機器のキャビネットの内側から外側に向かって組み付ける際の組立作業性を向上させることができる。
【００２５】
上記第２の局面による電子機器のジャック孔構造において、好ましくは、突出片の先端部は、丸形形状を有している。このように構成すれば、ジャックがジャック孔に挿入されていない場合に、人の指がジャック孔に誤って挿入されることによって突出片の先端部により指が傷つけられるのを防止することができる。
【００２６】
上記第２の局面による電子機器のジャック孔構造において、好ましくは、キャビネットは、樹脂材料により形成されている。このように構成すれば、突出片をジャック孔と一体的に形成することができる。これにより、突出片をキャビネットと別部材により形成する場合と比較して、部品点数を削減することができる。
【００２７】
上記第２の局面による電子機器のジャック孔構造において、好ましくは、突出片は、キャビネットの厚みよりも小さい厚みを有している。このように構成すれば、ジャックをキャビネットの内側から外側へ通す場合に、突出片が撓みやすくなるので、ジャックが突出片を容易に押し広げることができる。これにより、ジャックを電子機器のキャビネットに組み付ける際の組立作業性を向上させることができる。
【発明を実施するための最良の形態】
【００２８】
以下、本発明の実施の形態を図面に基づいて説明する。
【００２９】
図１は、本発明の一実施形態によるジャック孔構造を有するキャビネットを備えるテレビジョンの側断面図である。図２は、本発明の一実施形態によるジャック孔構造を有するキャビネットの部分側断面図である。図３は、本発明の一実施形態によるジャック孔構造を有するキャビネットの部分正面図である。図４は、図２に示したジャック孔に、ジャックを挿入した状態を示した側断面図である。図５は、図３に示したジャック孔に、ジャックを挿入した状態を示した正面図である。まず、図１〜図５を参照して、本発明の一実施形態による電子機器のジャック孔構造について説明する。
【００３０】
本発明の一実施形態によるジャック孔構造を有するテレビジョン２００は、図１に示すように、キャビネット１と、キャビネット１の内部に配置されるプリント基板１５０とを備えている。プリント基板１５０には、ホルダ１５１を介してジャック１５２が取り付けられている。このジャック１５２は、ビデオカメラやテレビゲームなどの外部機器（図示せず）と接続するための接続コードのコネクタを接続するために設けられている。また、テレビジョン２００のキャビネット１の正面側には、図１〜図３に示すように、ビデオ端子部１０が設けられている。また、ビデオ端子部１０には、図２および図３に示すように、円状のジャック孔１１が設けられている。このジャック孔１１を介して、図４および図５に示すように、ジャック１５２がキャビネット１の内側から外側に突出するように配置される。
【００３１】
ここで、本実施形態では、円状のジャック孔１１の内周面には、図３に示すように、円
状のジャック孔１１の内周部分の全周に渡って、所定の間隔を隔てずに連続して並ぶように複数の突出片１２が設けられている。この突出片１２は、円状のジャック孔１１の中心部に向かって徐々に細くなる先細り形状となるように形成されている。また、突出片１２は、図２に示すように、円状のジャック孔１１が設けられたキャビネット１の面に対して、円状のジャック孔１１の中心部に向かって９０°より小さい鋭角で傾斜し、かつ、キャビネット１の内側から外側へ突出するように形成されている。また、突出片１２は、キャビネット１の厚みよりも小さい厚みを有している。また、図３に示すように、突出片１２の先端部１２ａは、丸形形状を有している。
【００３２】
また、図２に示すように、突出片１２の先端部１２ａによって形成される最小孔部１３は、ジャック１５２がジャック孔１１に挿入されていない場合には、ジャック１５２の外径よりも最小孔部１３の孔径が小さくなるように構成されている。また、図４に示すように、ジャック１５２をジャック孔１１に挿入した場合には、ジャック１５２の外径に沿って最小孔部１３が広げられることにより、最小孔部１３は、ジャック１５２の外径と実質的に同じ孔径になるように構成されている。
【００３３】
本実施形態では、上記のように、円状のジャック孔１１の内周部分の全周に渡って、所定の間隔を隔てずに連続して並ぶように設けられる複数の突出片１２を設けることによって、ジャック１５２をジャック孔１１に挿入した場合に、ジャック１５２とジャック孔１１との間に生じる隙間を小さくすることができる。これにより、突出片１２を設けない場合と比較して、ジャック１５２とジャック孔１１との間の隙間からテレビジョン２００のキャビネット１の内部へ異物が混入するのを抑制することができる。その結果、テレビジョン２００のキャビネット１の内部へ異物が混入することによるテレビジョン２００の作動不良の発生を抑制することができる。
【００３４】
また、本実施形態では、突出片１２の先端部１２ａによって形成される最小孔部１３を、ジャック１５２がジャック孔１１に挿入されていない場合には、ジャック１５２の外径よりも最小孔部１３の孔径が小さくなるように構成することによって、ジャック１５２がジャック孔１１に挿入されていない場合には、突出片１２の先端部１２ａによって形成される最小孔部１３の孔径をより小さくすることができる。これにより、突出片１２がない場合と比較して、テレビジョン２００のキャビネット１の内部への大きな異物の混入を抑制することができる。
【００３５】
また、本実施形態では、突出片１２の先端部１２ａによって形成される最小孔部１３を、ジャック１５２がジャック孔１１に挿入されていない場合に、ジャック１５２の外径よりも最小孔部１３の孔径が小さくなるように構成することによって、図６に示すように、人の指がジャック孔１１からキャビネット１の内側へ誤って挿入されるのを防止することができる。これにより、ジャック１５２がジャック孔１１に挿入されていない場合に、人が指をジャック孔１１からキャビネット１の内側へ誤って挿入して、テレビジョン２００のキャビネット１の内部に設けられた電気的導通部分に接触するのを防止することができる。
【００３６】
また、本実施形態では、突出片１２を、ジャック孔１１が設けられたキャビネット１の面に対して、ジャック孔１１の中心部に向かって９０°より小さい鋭角で傾斜し、かつ、キャビネット１の内側から外側へ突出するように形成することによって、ジャック１５２をキャビネット１の内側から外側へ通す場合に、ジャック１５２が突出片１２に引っ掛かることなく、容易にジャック１５２をジャック孔１１に通すことができる。これにより、ジャック１５２をテレビジョン２００のキャビネット１に組み付ける際の組立作業性を向上させることができる。また、キャビネット１の外側から内側へ異物が混入しようとした場合には、異物を突出片１２に引っ掛かりやすくさせることができる。これによっても、
ジャック孔１１からテレビジョン２００のキャビネット１の内部へ異物が容易に混入しないようにすることができる。
【００３７】
また、本実施形態では、突出片１２を、キャビネット１の厚みよりも小さい厚みを有するように構成することによって、ジャック１５２をキャビネット１の内側から外側へ通す場合に、突出片１２が撓みやすくなるので、ジャック１５２を突出片１２に引っ掛かりにくくさせることができる。これにより、ジャック１５２をテレビジョン２００のキャビネット１に組み付ける際の組立作業性を向上させることができる。
【００３８】
また、本実施形態では、突出片１２を、ジャック孔１１の中心部に向かって細くなる先細り形状を有するように形成することによって、ジャック１５２をキャビネット１の内側から外側へ通す場合に、突出片１２が撓みやすくなるので、ジャック１５２を突出片１２により引っ掛かりにくくさせることができる。これにより、ジャック１５２をテレビジョン２００のキャビネット１の内側から外側に向かって組み付ける際の組立作業性を向上させることができる。
【００３９】
また、本実施形態では、突出片１２を、丸形形状の先端部１２ａを有するように形成することによって、ジャック１５２がジャック孔１１に挿入されていない場合に、人の指がジャック孔１１に誤って挿入されることによって突出片１２の先端部１２ａにより指が傷つけられるのを防止することができる。
【００４０】
また、本実施形態では、キャビネット１を、樹脂材料により形成することによって、突出片１２をジャック孔１１と一体的に形成することができる。これにより、突出片１２をキャビネット１と別部材により形成する場合と比較して、部品点数を削減することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、突出片１２の形状を、先細り形状となるように形成したが、本発明はこれに限らず、突出片の形状を別の形状に形成してもよい。
【００４３】
また、上記実施形態では、突出片１２の先端部１２ａを、丸形形状を有するように形成したが、本発明はこれに限らず、突出片を、図７に示すような尖った先端部１２ｂを有するように形成してもよい。
【００４４】
また、上記実施形態では、突出片１２を、樹脂材料によりキャビネット１と一体的に形成したが、本発明はこれに限らず、突出片を、キャビネットと別部材により形成してもよい。
【図面の簡単な説明】
【００４５】
【図１】本発明の一実施形態によるジャック孔構造を有するキャビネットを備えるテレビジョンの側断面図である。
【図２】本発明の一実施形態によるジャック孔構造を有するキャビネットの部分側断面図である。
【図３】本発明の一実施形態によるジャック孔構造を有するキャビネットの部分正面図である。
【図４】図２に示したジャック孔に、ジャックを挿入した状態を示した側断面図である。
【図５】図３に示したジャック孔に、ジャックを挿入した状態を示した正面図である。
【図６】図４に示した状態からジャックがなくなった場合のジャック孔に、指をキャビネットの外側から挿入した状態を示した側断面図である。
【図７】本発明の一実施形態によるジャック孔構造を有するキャビネットの他の例を示した部分正面図である。
【図８】従来の一例によるジャック孔構造を有するキャビネットを備えるテレビジョンを示した正面図である。
【図９】図８に示したテレビジョンの４００−４００線に沿った側断面図である。
【図１０】図９に示した従来の一例によるジャック孔構造を有するキャビネットの部分側断面図である。
【図１１】図１０に示したキャビネットのジャック孔に、ジャックを挿入した状態を示した側断面図である。
【図１２】図１０に示したキャビネットのジャック孔に、ジャックを挿入した状態を示した正面図である。
【図１３】図１１に示した状態からジャックがなくなった場合のジャック孔に、指をキャビネットの外側から挿入した状態を示した側断面図である。
【符号の説明】
【００４６】
１  キャビネット
１１  ジャック孔
１２  突出片
１２ａ、１２ｂ  先端部
１３  最小孔部
１５０  プリント基板
１５２  ジャック
【図１】
2005317308.tif 000003
【図２】
2005317308.tif 000004
【図３】
2005317308.tif 000005
【図４】
2005317308.tif 000006
【図５】
2005317308.tif 000007
【図６】
2005317308.tif 000008
【図７】
2005317308.tif 000009
【図８】
2005317308.tif 000010
【図９】
2005317308.tif 000011
【図１０】
2005317308.tif 000012
【図１１】
2005317308.tif 000013
【図１２】
2005317308.tif 000014
【図１３】
2005317308.tif 000015